(57)【要約】【課題】交換機の更改における人為的ミスの低減を図ると共に更改作業の大幅な時間短縮を図ること。【解決手段】既設側断線装置７０が挿着され導通状態にされた既設側保安器５０と既設配線装置２０の二重ジャンパの一方のジャンパ２１とを介して既設交換機３０に接続されている加入者回線１１を新設交換機４０に接続切替する方法であって、新設側断線装置８０が挿着され直流遮断・交流導通状態にされた新設側保安器６０と既設配線装置２０の二重ジャンパの他方のジャンパ２２とを介して新設交換機４０を加入者回線１１に接続するステップと、前記二重ジャンパの接続の正常性を確認した後に既設側保安器５０を導通状態から遮断状態に切り替え、且つ新設側保安器６０を直流遮断・交流導通状態から導通状態に切り替えるように既設側断線装置７０と新設側断線装置８０を遠隔制御するステップとで構成した。【選択図】  図２
2008131237.tif 000002
【特許請求の範囲】
【請求項１】
遠隔制御可能な既設側断線装置が挿着され導通状態にされた既設側保安器と既設配線装置の二重ジャンパの一方のジャンパとを介して既設交換機に接続されている加入者回線を新設交換機に接続切替する交換機の更改方法であって、
遠隔制御可能な新設側断線装置が挿着され直流遮断・交流導通状態にされた新設側保安器と前記既設配線装置の二重ジャンパの他方のジャンパとを介して前記新設交換機を前記加入者回線に接続するステップと、
前記二重ジャンパの接続の正常性を試験するステップと、及び、
二重ジャンパの接続の正常性を確認した後に前記既設側保安器を導通状態から遮断状態に切り替え、且つ前期新設側保安器を直流遮断・交流導通状態から導通状態に切り替えるように前記既設側断線装置と前記新設側断線装置を遠隔制御するステップとからなることを特徴とする交換機の更改方法。
【請求項２】
遠隔制御可能な既設側断線装置が挿着され導通状態にされた既設側保安器と既設配線装置の二重ジャンパの一方のジャンパとを介して既設交換機に接続されている加入者回線を新設交換機に接続切替する交換機の更改方法であって、
遠隔制御可能な新設側断線装置が挿着され直流遮断・交流導通状態にされた新設側保安器と前記既設配線装置の二重ジャンパの他方のジャンパとを介して前記新設交換機を前記加入者回線に接続するステップと、
前記既設交換機と前記新設交換機に二重ジャンパ試験装置を接続して二重ジャンパの接続の正常性を試験するステップと、及び、
二重ジャンパの接続の正常性を確認した後に前記既設側保安器を導通状態から遮断状態に切り替え、且つ前期新設側保安器を直流遮断・交流導通状態から導通状態に切り替えるように前記既設側断線装置と前記新設側断線装置を遠隔制御するステップとからなることを特徴とする交換機の更改方法。
【請求項３】
前記既設側断線装置は、入力端子と出力端子を備えた電子切替部と前記電子切替部の切替を制御する切替制御部とを含む断線回路部と、一対のバネ接点を備え前記既設側保安器の試験弾器に挿着される断線プラグであって前記一対のバネ接点に前記電子切替部の入力端子と出力端子が接続された断線プラグとで構成されていること、及び、
前記新設側断線装置は、入力端子と出力端子を備えた電子切替部と前記電子切替部の切替を制御する切替制御部と前記電子切替部に並列に接続されたコンデンサとを含む断線回路部と、一対のバネ接点を備え前記新設側保安器の試験弾器に挿着される断線プラグであって前記一対のバネ接点に前記電子切替部の入力端子と出力端子が接続された断線プラグとで構成されていることを特徴とする請求項１又は２に記載の交換機の更改方法。
【請求項４】
前記既設側断線装置と前記新設側断線装置のそれぞれの電子切替部はフォトトランジスタを含む光半導体スイッチ回路で構成されていること、及び、前記既設側断線装置と前記新設側断線装置のそれぞれの切替制御部は発光ダイオードを含む回路で構成され、電源線を介して前記二重ジャンパ試験装置に接続されており、前記電源線のオン・オフを行うことによって前記既設側断線装置と前記新設側断線装置を遠隔制御することを特徴とする請求項３に記載の交換機の更改方法。
【請求項５】
前記既設側断線装置の断線回路部の電子切替部はフォトトランジスタを含む光半導体スイッチ回路で構成されていること、及び、前記既設側断線装置の切替制御部は発光ダイオードとフォトトランジスタを含む第１の発光ダイオード回路と発光ダイオードを含む第２の発光ダイオード回路で構成されており、前記第１の発光ダイオード回路は既設回線電圧が印加されるように断線回路部に配置されており、且つ前記第２の発光ダイオード回路は制御線を介して遠隔制御装置に接続されており、前記制御線のオン・オフを行うことによって前記既設側断線装置を遠隔制御することを特徴とする請求項３に記載の交換機の更改方法。
【請求項６】
前記新設側断線装置の断線回路部の電子切替部はフォトトランジスタを含む光半導体スイッチ回路で構成されていること、及び、前記新設側断線装置の切替制御部は発光ダイオードを含む発光ダイオード回路で構成され、既設回線電圧が印加されるように断線回路部に配置されていることを特徴とする請求項３に記載の交換機の更改方法。
【請求項７】
前記新設側断線装置の断線回路部の電子切替部はフォトトランジスタを含む光半導体スイッチ回路で構成されていること、及び、前記新設側断線装置の切替制御部は発光ダイオードとフォトトランジスタを含む第１の発光ダイオード回路と、発光ダイオードを含む第２の発光ダイオード回路と、発光ダイオードを含む第３の発光ダイオード回路とで構成されており、前記第１の発光ダイオード回路は新設回線電圧が印加されるように断線回路部に配置されており、前記第２の発光ダイオード回路は既設回線電圧が印加されるように断線回路部に配置されており、且つ第３の発光ダイオード回路は制御線を介して遠隔制御装置に接続されており、前記制御線のオン・オフを行うことによって前記新設側断線装置を遠隔制御することを特徴とする請求項３に記載の交換機の更改方法。
【請求項８】
前記遠隔制御装置は二重ジャンパ試験装置であることを特徴とする請求項５又は７に記載の交換機の更改方法。
【発明の詳細な説明】
【技術分野】
【０００１】
本発明は、断線装置が挿着され且つ導通状態にされた既設側保安器と既設配線装置の二重ジャンパの一方のジャンパとを介して既設交換機に接続されている加入者回線を新設交換機に接続切替する交換機の更改方法に関する。
【背景技術】
【０００２】
電話交換機の老朽化や機能更新に伴う新旧交換機の更改作業には、電話サービスの中断時間を可能な限り少なくすることが要求される。このため、従来は既設交換機と新設交換機を二重ジャンパ線で相互に接続した状態で新旧交換機の交換を行う作業、即ち二重ジャンパ工法が採用されてきた。なお、二重ジャンパの接続の正常性を確認する試験方法については、特開平１−１８１３６６号公報（特許文献１）や特開２００５−３３３２１４号公報（特許文献２）に開示されている。
【０００３】
この二重ジャンパ工法の更改作業では、図１０に示す如く、更改前は既設交換機３０が加入者電話機１０の加入者への電話サービスを提供し、且つ新設交換機４０側の加入者回線接続を一時的に停止状態にしておく。その後、更改の瞬間に、既設交換機３０側の加入者回線接続を停止状態にし、同時に新設交換機４０側の加入者回線接続の停止状態を解除する。前記加入者回線接続の停止／停止解除は、既設交換機３０側においては弾器バネ５１，５２を備える既設側保安器５０の試験断器への断線プラグ７の挿着／抜去によって行われ、新設交換機４０側においては弾器バネ６１，６２を備える新設側保安器６０の試験断器への断線プラグ８の挿着／抜去によって行われる。ところが、既設側保安器５０の試験断器バネ５１，５２への断線プラグ７の挿着／抜去、新設側保安器６０の試験断器バネ６１，６２への断線プラグ８の挿着／抜去は作業員の手作業で行われるものであるが、前記試験断器は回線毎に配置されているので、大量の回線の接続切換を行う電話交換機の更改には、多数の作業員が数時間から数日の工事時間を要することになる。
【０００４】
特開平４−９０６９４号公報（特許文献３）には、避雷器断器に挿入される断線装置内にリレーを搭載し、回線の導通／非導通を制御することによって既設交換機側の回線接続の停止／停止解除を自動的に行う自動アレスタ断続器が開示されている。この自動アレスタ断続器によれば、既設交換機側の導通／非導通の処理の人為的ミスの低減が図れる。しかしながら、新交換機側の回線接続の導通／非導通の処理は相変わらず作業員の手作業によるので、人為的ミスの発生は防止できないし、作業の時間短縮も未だ不十分である。加えて、上記既設交換機側の回線の導通／非導通の処理を行うリレーのオン／オフ制御は、作業員が断線装置に備え付けられたＬＥＤの点灯状態を目視しながら加入者の回線仕様状況を確認した上で、回線毎に手動で行う必要があるので、人為的ミスが防げず、また、運用コストが高いという問題もある。要するに、数万回線もの非常に多数の電話回線が接続されている交換機の切替には、特許文献３に記載されている手法は現実的でない。
【０００５】
特開平１０−３０４０５号公報（特許文献４）には、既設側保安器に挿入され、その試験断器の一対の弾器バネから信号を引き込むための既設側回線接続部と、新設側保安器に挿入され、その試験断器の一対の弾器バネから信号を引き込むための新設側回線接続部と、前記既設側回線接続部を既設側回線ケーブルを介して制御し、且つ前記新設側回線接続部を新設側回線ケーブルを介して制御する遠隔制御装置とで構成された回線切替・試験装置が開示されている。
【０００６】
この回線切替・試験装置によれば、新設回線の導通／非導の処理の人為的ミスは防止できる。しかしながら、既設側回線ケーブルと新設側回線ケーブルは必要回線数と同数であるから、数万回線もの非常に多数の回線が接続されている交換機の更改には適用することはできない。ケーブルの配線作業にものすごく手間がかかること、システムの設置コストと管理コストが非常に高いからである。また、数万回線もの非常に多数のケーブルを引き回すことは現実には無理である。要するに、数万回線もの非常に多数の電話回線が接続されている交換機の切替には、特許文献３に記載されている手法も現実的でない。
【特許文献１】特開平１−１８１３６６号公報
【特許文献２】特開２００５−３３３２１４号公報
【特許文献３】特開平４−９０６９４号公報
【特許文献４】特開平１０−３０４０５９号公報
【発明の開示】
【発明が解決しようとする課題】
【０００７】
本発明が解決しようとする課題は、交換機の更改における人為的ミスの低減を図ると共に更改作業の大幅な時間短縮を図ることである。本発明が解決しようとする他の課題は、使用中の加入者回線の強制切替を回避できるようにすることである。
【課題を解決するための手段】
【０００８】
上述の課題を解決するために、遠隔制御可能な既設側断線装置が挿着され導通状態にされた既設側保安器と既設配線装置の二重ジャンパの一方のジャンパとを介して既設交換機に接続されている加入者回線を新設交換機に接続切替する交換機の更改方法を、遠隔制御可能な新設側断線装置が挿着され直流遮断・交流導通状態にされた新設側保安器と前記既設配線装置の二重ジャンパの他方のジャンパとを介して前記新設交換機を前記加入者回線に接続するステップと、前記二重ジャンパの接続の正常性を試験するステップと、及び、二重ジャンパの接続の正常性を確認した後に前記既設側保安器を導通状態から遮断状態に切り替え、且つ前期新設側保安器を直流遮断・交流導通状態から導通状態に切り替えるように前記既設側断線装置と前記新設側断線装置を遠隔制御するステップとで構成した。
【０００９】
上述の課題を解決するために、遠隔制御可能な既設側断線装置が挿着され導通状態にされた既設側保安器と既設配線装置の二重ジャンパの一方のジャンパとを介して既設交換機に接続されている加入者回線を新設交換機に接続切替する交換機の更改方法を、遠隔制御可能な新設側断線装置が挿着され直流遮断・交流導通状態にされた新設側保安器と前記既設配線装置の二重ジャンパの他方のジャンパとを介して前記新設交換機を前記加入者回線に接続するステップと、前記既設交換機と前記新設交換機に二重ジャンパ試験装置を接続して二重ジャンパの接続の正常性を試験するステップと、及び、二重ジャンパの接続の正常性を確認した後に前記既設側保安器を導通状態から遮断状態に切り替え、且つ前期新設側保安器を直流遮断・交流導通状態から導通状態に切り替えるように前記既設側断線装置と前記新設側断線装置を遠隔制御するステップとで構成した。
【発明の効果】
【００１０】
本発明により、既設交換機の加入者回線接続停止処理と新設交換機の加入者回線接続の停止解除処理の人為的処理ミスの防止と処理時間短縮が図られた。また、別途実施する二重ジャンパ試験と、加入者回線接続停止処理の自動化、及び加入者回線接続の停止解除処理の自動的と相俟って、更改作業の効率化を図ることができた。また、二重ジャンパ試験時に電話加入者の使用状況を確認するため、使用中の加入者回線の強制切替を回避することが可能になり、必要に応じて加入者回線使用中の切替を自動的に保留にすることができるようになった。更に、保安器に断線回路を予め搭載することによって、システムの経済化を図ることも可能となった。また、本発明の交換機の更改方法に使用される断線装置は、主要回路を殆ど搭載して構成できるので、断線装置と遠隔制御装置との接続ケーブルは２芯ケーブル数本で済み、従って設置コストも運用コストも安くできる。更にまた、加入者線の使用状況の判断は、断線装置内にて受動的に行えるので、遠隔制御装置の機能は単純化でき、従って遠隔制御装置の製造コストも安くできる。
【発明を実施するための最良の形態】
【００１１】
本発明は、遠隔制御可能な既設側断線装置が挿着され導通状態にされた既設側保安器と既設配線装置の二重ジャンパの一方のジャンパとを介して既設交換機に接続されている加入者回線を新設交換機に接続切替する交換機の更改方法であって、遠隔制御可能な新設側断線装置が挿着され直流遮断・交流導通状態にされた新設側保安器と前記既設配線装置の二重ジャンパの他方のジャンパとを介して前記新設交換機を前記加入者回線に接続するステップと、前記既設交換機と前記新設交換機に二重ジャンパ試験装置を接続して二重ジャンパの接続の正常性を試験するステップ、及び、二重ジャンパの接続の正常性を確認した後に前記既設側保安器を導通状態から遮断状態に切り替え、且つ前期新設側保安器を直流遮断・交流導通状態から導通状態に切り替えるように前記既設側断線装置と前記新設側断線装置を遠隔制御するステップとからなることを特徴とする交換機の更改方法である。
【実施例１】
【００１２】
本発明の実施例１に係る交換機の更新方法は、加入者電話機１０が加入者配線１１と既設配線装置２０を介して接続されている既設交換機３０を新設交換機４０に切替える方法であって、図２（Ａ）に示す更改前の電話システム又は遠隔制御線省略して示した図１（Ａ）の更改前の電話システムを、図１（B）に示す更改後の電話システムに変更する場合に採用されるものである。実施例１における遠隔制御線は、遠隔制御可能な既設側断線装置５０の電源線９１と遠隔制御可能な新設側断線装置８０の電源線９２である。
【００１３】
即ち、本発明の実施例１に係る更改前の電話交換システムは、遠隔制御可能な既設側断線装置７０が挿着され導通状態にされた既設側保安器５０と既設配線装置２０の二重ジャンパの一方のジャンパ２１とを介して既設交換機３０に接続されている加入者回線１１を新設交換機４０に接続切替する交換機の更改方法であって、次のステップを含むものである。なお、既設側断線装置７０は初期状態でその接点状態がオフ、従って既設側断線装置７０は初期状態で導通状態にある装置である。
【００１４】
第１は、遠隔制御可能な新設側断線装置８０が挿着され直流遮断・交流導通状態にされた新設側保安器６０と既設配線装置２０の二重ジャンパの他方のジャンパ２２とを介して新設交換機４０を加入者回線１１に接続するステップである。なお、既設側断線装置７０は初期状態でその接点状態がオフ、従って既設側断線装置７０は初期状態で導通状態にある装置である。そして、後述する如く、既設回線電圧が印加されると、新設側断線装置８０の接点状態はオンとなり、新設側断線装置８０は非導通になる装置である。この第１ステップが終了した状態は、図３（Ａ）に示す実施例１の更改前の状態である。
【００１５】
第２は、図２（Ａ）に示す更改前の状態にある既設交換機３０と新設交換機４０に二重ジャンパ試験装置９０を接続して二重ジャンパの接続の正常性を試験するステップである。
【００１６】
上述の第１のステップが完了したときには、新設側断線装置８０は非導通である。しかしながら、試験信号通過用コンデンサ８１（図６参照）が並列に挿入されているため、新設交換機４０から新設側保安器６０、既設配線装置２０、既設側保安器５０を順に経て既設交換機３０に至るルートは交流的には導通している。従って、二重ジャンパ試験装置９０により上記ルートの接続の正常性を確認することができる。この二重ジャンパ試験装置９０による試験により、加入者電話機１０が接続されている加入者線１１が既設側と新設側で正しく接続されていることが確認できる。
【００１７】
第３は、二重ジャンパの接続の正常性を確認した後に、既設側保安器５０を導通状態から遮断状態に切り替え、且つ新設側保安器６０を直流遮断・交流導通状態から導通状態に切り替えるように既設側断線装置７０と新設側断線装置８０を電源線９１と９２を介して二重ジャンパ試験装置９０から遠隔制御するステップ、即ち更改時の断線装置の導通状態切替ステップである。この遠隔制御は、二重ジャンパ試験装置９０に接地された図示しない操作手段を作業員が操作して行われる。この更改時の状態は、図２（Ｂ）に示されている通りである。
【００１８】
既設側保安器５０の導通状態から遮断状態への切り替えと新設側保安器６０の直流遮断・交流導通状態から導通状態への切替が完了した後は、図１（B）に示す如く、既設側断線装置７０は撤去され、既設交換機３０と既設側保安器５０との間の配線も撤去される。そして、電話システムは新設交換機４０を含むものに変更される。また、新設側断線装置８０の撤去は交換機の更改が終了した後に行われる。これらの撤去作業は、従来は更改作業を行う際に多数の作業員を投入して出来るだけ迅速に行わなければならなかったが、本発明に係る交換機の更改方法を採用した場合には、更改完了後にいつ撤去を行っても、電話サービスに何ら影響しないので、作業性が向上した。
【００１９】
実施例１に採用される既設側断線装置７０は、図５に示す如く、入力端子７２ａと出力端子７２ｂを備えた電子切替部と前記電子切替部を制御する切替制御部を含む断線回路部と、一対のバネ接点５１，５２を備え既設側保安器５０の試験弾器に挿着される断線プラグ７９であって一対のバネ接点５１，５２に前記電子切替部の入力端子７２ａと出力端子７２ｂが接続された断線プラグ７９とで構成されている。
【００２０】
また、新設側断線装置８０は、図６に示す如く、入力端子８２ａと出力端子８２ｂを備えた電子切替部と前記電子切替部の切替を制御する切替制御部と前記電子切替部に並列に接続されたコンデンサ８１とを含む断線回路部と、一対のバネ接点６１，６２を備え新設側保安器６０の試験弾器に挿着される断線プラグ８９であって一対のバネ接点点６１，６２に前記電子切替部の入力端子８２ａと出力端子８２ｂが接続された断線プラグ８９とで構成されている。
【００２１】
より具体的には、既設側断線装置７０の電子切替部は、図５に示す如く、電子リレー接点として機能するものであって、フォトトランジスタ７２ｃ，７２ｄと逆流防止ダイオード７２ｅ，７２ｆとで構成され、その両端は入力端子７２ａと出力端子７２ｂにそれぞれ接続されている。
【００２２】
また、既設側断線装置７０の断線回路部の切替制御部は、発光ダイオード７３ｃと抵抗７３ｄを含んだ発光ダイオード回路で構成され、その両端は電源端子７３ａと接地端子７３ｂにそれぞれ接続されている。前記電源端子７３ａと接地端子は７３ｂは電源線９１を介して二重ジャンパ試験装置９０に接続されている。
【００２３】
既設側保安器５０の試験断器に断線プラグ７９が挿着されたときには、前記二重ジャンパ試験装置９０からの電源の供給は遮断されているので発光ダイオード７３ｃは発光せず、フォトトランジスタ７２ｃ，７２ｄは導通状態にされている。従って、更改前においては、図２（Ａ）に示す如く、既設側断線装置７０は導通状態に保持されている。
【００２４】
次に、新側断線装置８０の電子切替部は、図６に示す如く、電子リレー接点として機能するものであって、フォトトランジスタ８２ｃ，８２ｄと逆流防止ダイオード８２ｅ，８２ｆとで構成され、その両端は入力端子８２ａと出力端子８２ｂにそれぞれ接続されている。
【００２５】
また、新設側断線装置８０の断線回路部の切替制御部は、図６に示す如く、発光ダイオード８３ｃと抵抗８３ｄを含んだ発光ダイオード回路で構成され、その両端は電源端子８３ａと接地端子８３ｂにそれぞれ接続されている。前記電源端子８３ａと接地端子８３ｂは電源線９２を介して二重ジャンパ試験装置９０に接続されている。
【００２６】
新設側保安器６０の試験断器に断線プラグ８９が挿着されたときには、前記二重ジャンパ試験装置９０からの電源の供給が行われているので発光ダイオード８３ｃは発光し、フォトトランジスタ８２ｃ，８２ｄは非導通状態にされている。従って、更改前においては、図２（Ａ）に示す如く、新設側断線装置８０は非導通状態に保持されている。
【００２７】
但し、試験信号通過用コンデンサ８１が新設側断線装置８０の電子切替部に並列に接続されているから、二重ジャンパ試験装置９０による二重ジャンパ試験のためのルート、即ち、二重ジャンパ試験装置９０の一方の試験端子から新設交換機４０、新設側保安器６０、配線装置２０、既設側保安器５０、既設側交換機３０を順に経て、二重ジャンパ試験装置９０の他方の試験端子に至る試験ルートが確保されている。従って、新設側断線装置８０の新設側保安器６０への挿入と同時に、新設側断線装置８０は直流遮断・交流導通の状態にされている。
【００２８】
以上実施例１について詳細に説明したが、回線の変更単位は１加入者毎でもよいし、複数回線同時でもよい。また、電話加入者が回線を使用中の場合には、二重ジャンパ試験装置９０からの断線装置操作指令を保留することもできる。電話加入者の回線の使用中の検知は、二重ジャンパ試験装置９０の電話発信機能を利用して行うこともできるし、図示しない交換機とのインターフェイスによって交換機のデータベースから電話加入者状態ファイルをダウンロードして行うこともできる。更に、遠隔制御装置は二重ジャンパ試験装置９０とは別の装置を用いても構成できることは勿論である。
【００２９】
また、既設側断線装置７０と新設側断線装置８０はいずれも、その電子切替部と切替制御部を半導体素子を用いて構成したが、電磁機械的リレーなどの部分を用いて構成することも可能である。
【実施例２】
【００３０】
本発明の実施例２に係る交換機の更新方法は、加入者電話機１０が加入者配線１１と既設配線装置２０を介して接続されている既設交換機３０を新設交換機４０に切替える方法であって、図３（Ａ）に示す更改前の電話システム又は遠隔制御線省略して示した図１（Ａ）の更改前の電話システムを、図１（B）に示す更改後の電話システムに変更する場合に採用されるものである。実施例２における遠隔制御線は、遠隔制御可能な既設側断線装置５０の制御線９３である。
【００３１】
即ち、本発明の実施例２に係る更改前の電話交換システムは、遠隔制御可能な既設側断線装置７０が挿着され導通状態にされた既設側保安器５０と既設配線装置２０の二重ジャンパの一方のジャンパ２１とを介して既設交換機３０に接続されている加入者回線１１を新設交換機４０に接続切替する交換機の更改方法であって、次のステップを含むものである。なお、既設側断線装置７０は初期状態でその接点状態がオフ、従って既設側断線装置７０は初期状態で導通状態にある装置である。
【００３２】
第１は、遠隔制御可能な新設側断線装置８０が挿着され直流遮断・交流導通状態にされた新設側保安器６０と既設配線装置２０の二重ジャンパの他方のジャンパ２２とを介して新設交換機４０を加入者回線１１に接続するステップである。なお、既設側断線装置７０は初期状態でその接点状態がオフ、従って既設側断線装置７０は初期状態で導通状態にある装置である。そして、後述する如く、既設回線電圧が印加されると、新設側断線装置８０の接点状態はオンとなり、新設側断線装置８０は非導通になる装置である。この第１ステップが終了した状態は、図３（Ａ）に示す実施例２の更改前の状態である。
【００３３】
第２は、図３（Ａ）に示す更改前の状態にある既設交換機３０と新設交換機４０に二重ジャンパ試験装置９０を接続して二重ジャンパの接続の正常性を試験するステップである。
【００３４】
既設側断線装置７０を既設側保安器５０に挿入した段階で既設側断線装置７０は導通しているため、既設側交換機３０から供給される回線電圧が既設側保安器５０と既設側配線装置２０を経由して新設側保安器６０に挿入された新設側断線装置８０に印加される。すると、新設側断線装置８０の接点はオンになり新設側断線装置８０を非導通となる。
【００３５】
上述の第１のステップが完了したときには、新設側断線装置８０は非導通である。しかしながら、試験信号通過用コンデンサ８１（図８参照）が並列に挿入されているため、新設交換機４０から新設側保安器６０、既設配線装置２０、既設側保安器５０を順に経て既設交換機３０に至るルートは交流的には導通している。従って、二重ジャンパ試験装置９０により上記ルートの接続の正常性を確認することができる。この二重ジャンパ試験装置９０による試験により、加入者電話機１０が接続されている加入者線１１が既設側と新設側で正しく接続されていることが確認できる。
【００３６】
第３は、二重ジャンパの接続の正常性を確認した後に、既設側保安器５０を導通状態から遮断状態に切り替え、且つ新設側保安器６０を直流遮断・交流導通状態から導通状態に切り替えるように、制御線９３を介して既設側断線装置７０を遠隔制御するステップ、即ち更改時の断線装置の導通状態切替ステップである。この更改時の状態は、図３（Ｂ）に示されている通りである。
【００３７】
既設側断線装置７０の接点状態をオンにして既設側断線装置７０を非導通にする切替を行うと、新設側断線装置８０には既設回線電圧が供給されなくなり、新設側断線装置８０の接点状態はオフになり新設側断線装置８０は導通状態に移行する。
【００３８】
ここで、既設側断線装置７０の接点状態を変更する際に、加入者線１１が使用中の場合には、既設側断線装置７０への回線電圧供給が行われないので、既設側断線装置７０の接点はオンしない。従って既設側断線装置７０は導通状態を保持している。加入者線１１の使用が解除された時点で、既設側断線装置７０は非導通状態となり、新設側断線装置８０は導通状態に移行する。これによって、加入者が電話を使用中に回線を強制的に切替えるという人為的ミスを防止できる。
【００３９】
実施例２に採用される既設側断線装置７０は、図７に示す如く、入力端子７２ａと出力端子７２ｂを備えた電子切替部と前記電子切替部の切替を制御する切替制御部を含む断線回路部と、一対のバネ接点５１，５２を備え既設側保安器５０の試験弾器に挿着される断線プラグ７９であって一対のバネ接点５１，５２に前記電子切替部の入力端子７２ａと出力端子７２ｂが接続された断線プラグ７９とで構成されている。
【００４０】
また、新設側断線装置８０は、図８に示す如く、入力端子８２ａと出力端子８２ｂを備えた電子切替部と前記電子切替部を制御する切替制御部と前記電子切替部に並列に接続されたコンデンサ８１とを含む断線回路部と、一対のバネ接点６１，６２を備え新設側保安器６０の試験弾器に挿着される断線プラグ８９であって一対のバネ接点点６１，６２に前記電子切替部の入力端子８２ａと出力端子８２ｂが接続された断線プラグ８９とで構成されている。
【００４１】
より具体的には、既設側断線装置７０の電子切替部は、図７に示す如く、電子リレー接点として機能するものであって、フォトトランジスタ７２ｃ，７２ｄと逆流防止ダイオード７２ｅ，７２ｆとで構成され、その両端は入力端子７２ａと出力端子７２ｂにそれぞれ接続されている。
【００４２】
また、既設側断線装置７０の断線回路部の切替制御部は、図７に示す如く、第１の発光ダイオード回路と第２の発光ダイオード回路で構成されている。前記第１の発光ダイオード回路は発光ダイオード７４ｃと抵抗７４ｄとフォトトランジスタ７４ｅを含んで構成され、その両端は既設回線電圧端子７４ａと既設回線電圧接地端子７４ｂにそれぞれ接続されている。また、前記第２の発光ダイオード回路は、発光ダイオード７５ｃと抵抗７５ｄを含んで構成され、その両端はオン・オフ制御端子７５ａと接地端子７５ｂにそれぞれ接続されている。オン・オフ制御端子７５ａと接地端子７５ｂは制御線９３を介して二重ジャンパ試験装置９０に接続されている。
【００４３】
既設側保安器５０の試験断器に断線プラグ７９が挿着されたときには、前記第１の発光ダイオード回路に既設回線電圧が印加され、更に前記二重ジャンパ試験装置９０からのオン指令はないようになっている。このため、発光ダイオード７５ｃは発光せず、フォトトランジスタ７４ｅは非導通で発光ダイオード７４ｃは発光せず、フォトトランジスタ７２ｃ，７２ｄは導通状態にされている。従って、更改前においては、図３（Ａ）に示す如く、既設側断線装置７０は導通状態に保持されている。
【００４４】
次に、新側断線装置８０の電子切替部は、図８に示す如く、電子リレー接点として機能するものであって、フォトトランジスタ８２ｃ，８２ｄと逆流防止ダイオード８２ｅ，８２ｆとで構成され、その両端は入力端子８２ａと出力端子８２ｂにそれぞれ接続されている。
【００４５】
また、新設側断線装置８０の断線回路部の切替制御部は、図８に示す如く、発光ダイオード８４ｃと抵抗８４ｄを含んだ発光ダイオード回路で構成され、その両端は既設回線電圧端子８４ａと既設回線電圧接地端子８４ｂにそれぞれ接続されている。
【００４６】
新設側保安器６０の試験断器に断線プラグ８９が挿着されたときには、新設側断線装置８０の切替制御部の既設回線電圧端子８４ａと既設回線電圧接地端子８４ｂに既設回線電圧が印加されるので発光ダイオード８４ｃは発光し、フォトトランジスタ８２ｃ，８２ｄは非導通状態にされている。従って、更改前においては、図３（Ａ）に示す如く、新設側断線装置８０は非導通状態に保持されている。
【００４７】
但し、試験信号通過用コンデンサ８１が新設側断線装置８０の電子切替部に並列に接続されているから、二重ジャンパ試験装置９０による二重ジャンパ試験のためのルート、即ち、二重ジャンパ試験装置９０の一方の試験端子から新設交換機４０、新設側保安器６０、配線装置２０、既設側保安器５０、既設側交換機３０を順に経て、二重ジャンパ試験装置９０の他方の試験端子に至る試験ルートが確保されている。従って、新設側断線装置８０の新設側保安器６０への挿入と同時に、新設側断線装置８０は直流遮断・交流導通の状態にされている。
【実施例３】
【００４８】
実施例３は実施例２で解決できなかった以下の問題を解決するものである。即ち、実施例２では、新設側断線装置８０の制御は既設回線電圧の有無により行われるため、仮に二重ジャンパ敷設が片側断線などの不完全な場合、新設側断線装置８０への既設回線電圧の供給ができなくなる。このような状態が生じると、新設側断線装置８０の制御が不可能となるという問題である。
【００４９】
本発明の実施例３に係る交換機の更新方法は、加入者電話機１０が加入者配線１１と既設配線装置２０を介して接続されている既設交換機３０を新設交換機４０に切替える方法であって、図４（Ａ）に示す更改前の電話システム又は遠隔制御線省略して示した図１（Ａ）の更改前の電話システムを、図１（B）に示す更改後の電話システムに変更する場合に採用されるものである。実施例３における遠隔制御線は、遠隔制御可能な既設側断線装置５０の制御線９３と遠隔制御可能な新設側断線装置８０の制御線９４である。
【００５０】
即ち、本発明の実施例３に係る更改前の電話交換システムは、遠隔制御可能な既設側断線装置７０が挿着され導通状態にされた既設側保安器５０と既設配線装置２０の二重ジャンパの一方のジャンパ２１とを介して既設交換機３０に接続されている加入者回線１１を新設交換機４０に接続切替する交換機の更改方法であって、次のステップを含むものである。
【００５１】
第１は、遠隔制御可能な新設側断線装置８０が挿着され直流遮断・交流導通状態にされた新設側保安器６０と既設配線装置２０の二重ジャンパの他方のジャンパ２２とを介して新設交換機４０を加入者回線１１に接続するステップである。なお、既設側断線装置７０は初期状態でその接点状態がオフ、従って既設側断線装置７０は初期状態で導通状態にある装置である。そして、後述する如く、既設回線電圧が印加されると、新設側断線装置８０の接点状態はオンとなり、新設側断線装置８０は非導通になる装置である。この第１ステップが終了した状態は、図４（Ａ）に示す実施例３の更改前の状態である。
【００５２】
第２は、図４（Ａ）に示す更改前の状態にある既設交換機３０と新設交換機４０に二重ジャンパ試験装置９０を接続して二重ジャンパの接続の正常性を試験するステップである。
【００５３】
既設側断線装置７０を既設側保安器５０に挿入した段階で既設側断線装置７０は導通しているため、既設側交換機３０から供給される回線電圧が既設側保安器５０と既設側配線装置２０を経由して新設側保安器６０に挿入された新設側断線装置８０に印加される。すると、新設側断線装置８０の接点はオンになり新設側断線装置８０を非導通となる。
【００５４】
上述の第１のステップが完了したときには、新設側断線装置８０は非導通である。しかしながら、試験信号通過用コンデンサ８１（図９参照）が並列に挿入されているため、新設交換機４０から新設側保安器６０、既設配線装置２０、既設側保安器５０を順に経て既設交換機３０に至るルートは交流的には導通している。従って、二重ジャンパ試験装置９０により上記ルートの接続の正常性を確認することができる。この二重ジャンパ試験装置９０による試験により、加入者電話機１０が接続されている加入者線１１が既設側と新設側で正しく接続されていることが確認できる。
【００５５】
第３は、二重ジャンパの接続の正常性を確認した後に、既設側保安器５０を導通状態から遮断状態に切り替え、且つ新設側保安器６０を直流遮断・交流導通状態から導通状態に切り替えるように、制御線９３を介して既設側断線装置７０を遠隔制御するステップ、即ち更改時の断線装置の導通状態切替ステップである。この更改時の状態は、図４（Ｂ）に示されている通りである。
【００５６】
既設側断線装置７０の接点状態をオンにして既設側断線装置７０を非導通にする切替を行うと、新設側断線装置８０には既設回線電圧が供給されなくなり、新設側断線装置８０の接点状態はオフになり新設側断線装置８０は導通状態に移行する。
【００５７】
ここで、既設側断線装置７０の接点状態を変更する際に、加入者線１１が使用中の場合には、既設側断線装置７０への回線電圧供給が行われないので、既設側断線装置７０の接点はオンしない。従って既設側断線装置７０は導通状態を保持している。加入者線１１の使用が解除された時点で、既設側断線装置７０は非導通状態となり、新設側断線装置８０は導通状態に移行する。これによって、加入者が電話を使用中に回線を強制的に切替えるという人為的ミスを防止できる。
【００５８】
実施例３に採用されている既設側断線装置７０は実施例２に採用されている既設側断線装置７０と同じであり、その断線回路は図７に示すとおりである。
【００５９】
新設側断線装置８０の電子切替部は、図９に示す如く、電子リレー接点として機能するものであって、フォトトランジスタ８２ｃ，８２ｄと逆流防止ダイオード８２ｅ，８２ｆとで構成され、その両端は入力端子８２ａと出力端子８２ｂにそれぞれ接続されている。
【００６０】
また、新設側断線装置８０の断線回路部の切替制御部は、図９に示す如く、第１の発光ダイオード回路と第２の発光ダイオード回路と第３の発光ダイオード回路で構成されている。
【００６１】
前記第１の発光ダイオード回路は発光ダイオード８５ｃと抵抗８５ｄとフォトトランジスタ８５ｅ，８５ｆ含んで構成され、その両端は新設回線電圧端子８５ａと新設回線電圧接地端子８５ｂにそれぞれ接続されている。前記第２の発光ダーオード回路は、発光ダイオード８４ｃと抵抗８４ｄを含んで構成され、その両端は既設回路電圧端子８４ａと既設回路電圧接地端子８４ｂにそれぞれ接続されている。更に、前記第３の発光ダイオード回路は、発光ダイオード８６ｃと抵抗８６ｄを含んで構成され、その両端はオン・オフ制御端子８６ａと接地端子８６ｂにそれぞれ接続されている。オン・オフ制御端子８６ａと接地端子８６ｂは制御線９４を介して二重ジャンパ試験装置９０に接続されている。
【００６２】
新設側断線装置８０の新設側保安器６０への挿入時には、二重ジャンパ試験装置９０から制御線９４を介してオフ指令が与えられるようになっている。前記オフ指令が与えられると前記第３の発光ダーオード回路の発光ダイオード８６ｃが発光し、前記第１の発光ダイオード回路のフォトトランジスタ８５ｆがオンし、前記第１の発光ダイオード回路の発光ダイオード８５ｃを発光させ、前記半導体スイッチ回路のフォトトランジスタ８２ｃ，８２ｄが非導通となる。従って、更改前においては、図４（Ａ）に示す如く、新設側断線装置８０は非導通状態に保持されている。
【００６３】
但し、試験信号通過用コンデンサ８１が新設側断線装置８０の電子切替部に並列に接続されているから、二重ジャンパ試験装置９０による二重ジャンパ試験のためのルート、即ち、二重ジャンパ試験装置９０の一方の試験端子から新設交換機４０、新設側保安器６０、配線装置２０、既設側保安器５０、既設側交換機３０を順に経て、二重ジャンパ試験装置９０の他方の試験端子に至る試験ルートが確保されている。従って、新設側断線装置８０の新設側保安器６０への挿入と同時に、新設側断線装置８０は直流遮断・交流導通の状態にされている。
【００６４】
更改時に既設側断線装置７０が制御線９３を介してのオン・オフ制御により非導通状態に移行させられると、新設側断線装置８０には既設回線電圧が印加されなくなり、新設側断線装置８０は導通状態になる。ここで、既設側断線装置７０を非導通状態に移行する際に、電話加入者が回線を使用中の場合には、既設側断線装置７０はその光半導体スイッチ回路がオンしないため導通状態を保持しており、新設側断線装置８０に状態の変化は生じない。電話加入者の回線使用が解除された段階で、既設側断線装置７０はその光半導体スイッチ回路はオンとなって導通状態に移行するため、新設側断線装置８０には既設回線電圧が印加されなくなり、その光半導体スイッチ回路はオフとなって導通状態に移行する。
【図面の簡単な説明】
【００６５】
【図１】遠隔制御線を除外して示した本発明の実施例１と実施例２を適用した更改前の電話システム（Ａ）と更改後の電話システム（B）を示したシステム構成図である。
【図２】本発明の実施例１を適用した更改前の電話システム（Ａ）と更改時の電話システム（B）を示したシステム構成図である。
【図３】本発明の実施例２を適用した更改前の電話システム（Ａ）と更改時の電話システム（B）を示したシステム構成図である。
【図４】本発明の実施例３を適用した更改前の電話システム（Ａ）と更改時の電話システム（B）を示したシステム構成図である。
【図５】本発明の実施例１に用いられる既設側断線装置の回路図である。
【図６】本発明の実施例１に用いられる新設側断線装置の回路図である。
【図７】本発明の実施例２又は実施例３に用いられる既設側断線装置の回路図である。
【図８】本発明の実施例２に用いられる新設側断線装置の回路図である。
【図９】本発明の実施例３に用いられる新設側断線装置の回路図である。
【図１０】従来の交換機の更改方法が適用された更改前の電話システム（Ａ）と更改時の電話システム（B）を示したシステム構成図である。
【符号の説明】
【００６６】
１０  加入者電話機
１１  加入者回線
２０  既設配線装置
２１  二重ジャンパ
２２，２３  ジャンパ
３０  既設交換機
４０  新設交換機
５０  既設側保安器
５１，５２  弾器バネ
６０  新設側保安器
６１，６２  弾器バネ
７０  既設側断線装置
７２ａ  入力端子
７２ｂ  出力端子
７２ｃ，７２ｄ  フォトトランジスタ
７２ｄ，７２ｅ  逆流防止ダイオード
７３ａ  電源端子
７３ｂ  接地端子
７３ｃ  発光ダイオード
７３ｄ  抵抗
７４ａ  既設回線電圧端子
７４ｂ  回線電圧接地端子
７４ｃ  発光ダイオード
７４ｄ  抵抗
７４ｅ  フォトトランジスタ
７５ａ  オン・オフ制御端子
７５ｂ  接地端子
７５ｃ  発光ダイオード
７５ｄ  抵抗
７９  断線プラグ
８０  新設側断線装置
８１  試験信号通過用コンデンサ
８２ａ  入力端子
８２ｂ  出力端子
８２ｃ，８２ｄ  フォトトランジスタ
８２ｄ，８２ｅ  逆流防止ダイオード
８３ａ  電源端子
８３ｂ  接地端子
８３ｃ  発光ダイオード
８３ｄ  抵抗
８４ａ  既設回線電圧端子
８４ｂ  既設回線電圧接地端子
８４ｃ  発光ダイオード
８４ｄ  抵抗
８５ａ  新設回線電圧端子
８５ｂ  新設回線電圧接地端子
８５ｃ  発光ダイオード
８５ｄ  抵抗
８５ｅ，８５ｆ  フォトトランジスタ
８６ａ  オン・オフ制御端子
８６ｂ  接地端子
８６ｃ  発光ダイオード
８６ｄ  抵抗
８９  断線プラグ
９０  二重ジャンパ試験装置
９１，９２  電源線
９３，９４  制御線
【図１】
2008131237.tif 000003
【図２】
2008131237.tif 000004
【図３】
2008131237.tif 000005
【図４】
2008131237.tif 000006
【図５】
2008131237.tif 000007
【図６】
2008131237.tif 000008
【図７】
2008131237.tif 000009
【図８】
2008131237.tif 000010
【図９】
2008131237.tif 000011
【図１０】
2008131237.tif 000012